(57)【特許請求の範囲】
【請求項１】
鋲本体（１）と、
前記鋲本体の周縁部から下方に向かって放射状に延設された複数本の可撓性脚部（２）と、を備え、
前記可撓性脚部の先端部に、球状又は楕円球状の膨出部（Ｂ）を設けると共に、前記球状又は楕円球状の膨出部を含んだ前記可撓性脚部を、合成樹脂、柔軟な金属、又は柔軟な金属と合成樹脂の複合材料のいずれか一つから選択されるところの使用者の体重によって撓む材料で形成して、前記球状又は楕円球状の膨出部の摩耗によっても当該膨出部は丸みを帯びた形状を保って膨出部に鋭利な部分が生じないようにしたことを特徴とするゴルフシューズ用スパイク鋲。
【請求項２】
前記鋲本体は、前記可撓性脚部より若干突出量の少ない複数本の支持突部を有し、前記可撓性脚部による使用者の体重の支持を補助するようになっていることを特徴とする請求項１に記載のゴルフシューズ用スパイク鋲。
【請求項３】
前記複数の支持突部の各々は、その下面に突条又は溝を有し、地面又は芝生面との摩擦力を向上させていることを特徴とする請求項２に記載のゴルフシューズ用スパイク鋲。
【請求項４】
前記鋲本体は、ゴルフシューズの裏面に対する着脱自在な係合部（４）を有していることを特徴とする請求項１〜３のいずれか一項に記載のゴルフシューズ用スパイク鋲。
【発明の詳細な説明】
【０００１】
【発明の属する技術分野】
芝生面に対する十分なグリップ力を確保しつつ、ゴルフコースの芝生面（特にデリケートなパッティンググリーン）又はクラブハウスの床面の損傷を防止することができ、しかも、硬いアスファルト面等を歩行しても摩耗、損傷が少なく、耐久性及び衝撃吸収性に優れたゴルフシューズ用スパイク鋲及びその製造方法に関する。
【０００２】
このスパイク鋲は、ゴルフシューズの底部に一体成形されるものと、ゴルフシューズの底部に対してねじなどを用いて着脱自在とするものとの両者を含むものである。
特に、上記のスパイク鋲は、合成樹脂にて好適に製造することができる。
【０００３】
【従来の技術】
従来、ゴルフシューズのスパイク鋲としては、針状の鋲からなる金属製のものが広く利用されており、この金属製のスパイク鋲によれば、例えば、濡れた芝斜面においても強力なグリップ力を発揮する。
【０００４】
しかし、このような金属製のスパイク鋲は、芝生が生えている土の層にまで刺さることによりグリップ力を確保しているため、この金属製のスパイク鋲を装着して歩行した後の芝生面は軽く掘り起こされた状態となってしまう。特に、パッティンググリーンにおいては、後のプレーに支障が生ずることもある。従来の金属製のスパイク鋲にてクラブハウス内のカーペット上を歩行する際にも、カーペットを損傷させることがあり、問題となっている。
【０００５】
また、金属製のスパイク鋲を装着して舗装路などの硬い地面を歩行すると、スパイク鋲部分に突き上げ感があり、なおかつ、体重を支える支点が少ないことによる歩行時の不安定感があり、履き心地が好ましくないという問題がある。さらに、地面からの衝撃が直接身体に加わるため、この衝撃を負担する足・膝・腰に疲労感が発生するなどの問題もある。
【０００６】
上記の問題を解決するために「ノンメタルスパイク」と呼ばれる、主に合成樹脂により成形したゴルフシューズスパイクが用いられることとなった。この樹脂製スパイク鋲によれば、硬い路面においても突き上げ感がなく、体重を支える支点が多いことにより歩行時にも安定感がある。
【０００７】
このような樹脂製のスパイク鋲としては、アメリカ合衆国特許出願第６０／０７０７３５号と対応する特開平１１−２６２４０１号公報にて開示されている合成樹脂製のスパイク鋲とか、本件出願人によって既に出願済みの特願２０００−１４９４４号にて開示されている合成樹脂製のスパイク鋲が提案されている。
【０００８】
【発明が解決しようとする課題】
しかし、これら従来の合成樹脂製のスパイク鋲は、金属製のスパイク鋲よりも身体への衝撃が少なく、芝生面やカーペットの損傷も比較的少ないとはいえ、複数本の脚が芝生面に刺さりやすいように鋭利に（特に脚の基端部から先端部にかけて順次細くなるように）形成されており、パッティンググリーン上のように短く刈り込まれたデリケートな芝生面を損傷することがやはり生じてしまうという問題がある。
【０００９】
即ち、従来のスパイク鋲は、芝生面へ刺さるように、そのほとんどの脚が先細りであるか、鋭利なエッジを有する多角柱状に形成されており、歩き方に注意を払わないとデリケートな芝生面を損傷することが避けられないものであった。
【００１０】
そこで、本発明の目的は、硬いアスファルト面又はクラブハウス内の床面を歩行する際にも安定性があり、芝生面に対する十分なグリップ力を確保しつつ、パッティンググリーン上のように短く刈り込まれたデリケートな芝生面をも損傷することがないスパイク鋲を提供することにある。
【００１１】
さらに、本発明の他の目的は、硬いアスファルト面やコンクリートの上などを歩行することでスパイク鋲に摩耗が生じても、芝生やクラブハウス内の床面を傷つけるような鋭利な部分（エッジ）を生じることがないゴルフシューズ用スパイク鋲を提供することにある。
【００１２】
【課題を解決するための手段】
上記課題を解決するため、本発明に係るゴルフシューズ用スパイク鋲は、
鋲本体（１）と、
前記鋲本体の周縁部から下方に向かって放射状に延設された複数本の可撓性脚部（２）と、を備え、
前記可撓性脚部の先端部に、球状又は楕円球状の膨出部（Ｂ）を設けると共に、前記球状又は楕円球状の膨出部を含んだ前記可撓性脚部を、合成樹脂、柔軟な金属、又は柔軟な金属と合成樹脂の複合材料のいずれか一つから選択されるところの使用者の体重によって撓む材料で形成して、前記球状又は楕円球状の膨出部の摩耗によっても当該膨出部は丸みを帯びた形状を保って膨出部に鋭利な部分が生じないようにしたことを特徴とする。
【００１３】
このように構成されたスパイク鋲においては、その脚部２に鋭利な角部が無いため、パッティンググリーンのようなデリケートな芝生面を損傷することが極めて少ないものとなる。
【００１４】
また、前記膨出部Ｂの膨出方向としては、何れの実施形態においても、特に脚部２の下方又は側方に、或いは、下方及び側方に膨出させることが望ましい。脚部２の膨出部Ｂを下方へ膨出させれば、脚部２の対摩耗性及び耐久性を向上させることができる。脚部２の膨出部Ｂを脚部２の側方へ膨出させれば、芝生面への絡み付きが発生し、芝生面に対するグリップ力が向上する。
【００１５】
脚部２の先端部に膨出部Ｂが設けられているため、膨出部Ｂが芝生に絡んで引っかかるため、芝生面に対して強力なグリップ力を発揮する。
【００１６】
本発明に係るスパイク鋲は、前記脚部の先端部に丸みを帯びた膨出部Ｂを設けた場合、膨出部Ｂに角（鋭利な部分）がないため、芝生を傷つけることが極めて少ない。さらに、当該膨出部Ｂの摩耗によっても膨出部Ｂに鋭利な部分が生じないようになる。
【００１７】
本発明に係るスパイク鋲としては、鋲本体から下方に延設された複数本の可撓性脚部と、前記可撓性脚部の先端部に設けられた球状又は楕円球状の膨出部と、を備え、当該膨出部の摩耗によっても膨出部に鋭利な部分が生じない。
【００１８】
このような構成により、まず、芝生上においては、ゴルフシューズ着用者の体重によりスパイク鋲の可動性脚部２がほとんどそのままの状態で芝に食い込んでグリップする。一方、舗装路等の硬質な地面上においては、可撓性脚部２が撓んでクッション効果を奏し、膝・腰等の負担を軽減することができるとともに、安定性が高く、非常に使いやすいものとすることができる。
【００１９】
本発明に係るスパイク鋲としては、さらに、鋲本体に、複数本の可撓性脚部より若干突出量の少ない支持突部３，７を設け、前記可撓性脚部２による体重の支持を補助するようにしてもよい。
【００２０】
このような構成により、舗装路等の硬質な地面上においては、可撓性脚部２が撓んだ後、下方への突出量の少ない支持突部３，７が地面に当接する。従って、ゴルフシューズ着用者の体重を支持突部３が支持することとなり、可撓性脚部２が急激に摩耗してしまうことが効率よく防止される。
【００２１】
本発明に係る上記スパイク鋲としては、前記支持突部３、７の下面に突条Ｌ又は溝（凹凸部）Ｒを設け、地面又は芝生面との摩擦力を向上させるようにしてもよい。ここで、突条又は溝（凹凸部）とは、スパイク鋲が地面又は芝生面に接する部分に設けられた摩擦力を増すための「突起」又は「窪み」であればどのような形状であってもよい。
【００２２】
本発明に係る上記スパイク鋲としては、前記脚部２を、鋲本体１の周縁部から下方に向かって放射状に延設することが大きなグリップ力を得るとともに、脚部の摩擦に対する耐久性を向上させる。
【００２３】
本発明に係る上記スパイク鋲としては、前記鋲本体１が、ゴルフシューズの裏面に対する着脱自在な係合部４を有していてもよい。このような構成とすることで、ゴルフシューズの裏面に対して着脱自在となり、スパイク鋲の交換が必要な場合には、容易に交換できるようになる。
【００２４】
上記のように構成された本発明によるスパイク鋲は、脚部２の先端部の膨出部Ｂが芝生に絡み付いて引っかかり、抜け止めの作用を奏するため、合成樹脂にてスパイク鋲の全体を製造した場合にも、グリップ力が金属製のスパイク鋲と同等のものとなる。
【００２５】
その理由の１つとしては、特に、本発明のスパイク鋲においては、前記膨出部Ｂが常に先に地面と接するため、脚部２の胴部又は基部の摩耗を膨出部Ｂが防ぐ作用を奏するためである。
【００２６】
さらに、スパイク鋲の摩耗の際には、膨出部Ｂの形状が丸みを帯びた形状（好ましくは球状又は楕円球状）であるため、鋭利な部分が生じることがなく、摩耗後においても本件発明によるスパイク鋲においては芝生面を損傷することを極めて少ないものとすることができる。
【００２７】
【発明の実施の形態】
本発明の好適な実施の形態（実施例１）について図１から図５に従って以下、説明する。
本発明に係るスパイク鋲１０は、略円盤状（円錐台形状）の基台部分を為す鋲本体１と、鋲本体１の裏面の周縁部から下方に向かって放射状に所定間隔にて延設された６本の可撓性脚部２と、当該可撓性脚部２の間に配置され可撓性脚部２よりも下方への突出量が若干少ない３本の支持突部３とを有している。
【００２８】
即ち、本実施例のスパイク鋲１０は、その可撓性脚部２として、互いに約４０度離間した２本１組の可撓性脚部２を３対等間隔に配設し、約８０度離間した可撓性脚部２の間に支持突部３を配設している。
【００２９】
前記可撓性脚部２は、鋲本体１から下方に延設され、芝生を損傷するような鋭利な角部を有さないように胴部がほぼ円柱状となっている。
【００３０】
さらに、前記可撓性脚部２は、アスファルトの舗装路等の硬い地面上では、ゴルフシューズ着用者の体重によって若干撓む程度の強度となるような太さで、上記した鋲本体１の基台部分から下方に向かって放射状に成形されている。
【００３１】
ここで、「下方に向かって放射状」とは、おおよそ「鋲本体の裏面から下方に向かって鋲本体の周縁部（又は中央部）から外方へ若干拡開するように」なっていることを意味する。かかる構成により、可撓性脚部２は、ゴルフシューズの着用者の体重によってさらに外方へ拡がるように若干変形する。
【００３２】
さらに、可撓性脚部２の先端部には、丸みを帯びた楕円球状の膨出部Ｂが設けられており、図５に示すように、当該膨出部Ｂの摩耗によっても膨出部Ｂに鋭利な部分が生じないようになっている。本実施例の膨出部Ｂは、主にスパイク鋲の下方及び側方（隣接する他の脚部の方向）に膨出するように形成されている。
【００３３】
この膨出部Ｂの形状としては、当該膨出部Ｂの摩耗によっても膨出部Ｂに鋭利な部分が生じないように、図６及び図７に示すスパイク鋲２０のような丸みを帯びた球状としてもよい。
【００３４】
このように構成された可撓性脚部２は、芝生面上で使用した場合にはほとんど撓むことがなく、この脚部２の先端部が芝生面に絡み付くように食い込み、先端部の膨出部Ｂが抜け止めの作用を奏するため、芝生面に対する強力なグリップ力を発揮する。これは、複数の脚部２の胴部の間に挟まった芝生が、そこから抜け出す際に、狭くなっている膨出部Ｂの間を通過する必要があるためにグリップ力が増大するものと考えられる。
【００３５】
一方、支持突部３は、前記可撓性脚部２が撓むことにより、地面と当接するようになって、ゴルフシューズ着用者の体重を支えるものである。即ち、この支持突部３は、芝生或いはカーペット上においては芝生面等に接してグリップ力を発揮し、一方、アスファルトの舗装路等の硬い地面上においては、ゴルフシューズ着用者の体重を主に支持して、可撓性脚部２が必要以上に撓んでしまうことからの急激な摩耗（過度の摩耗）を防止するものである。従って、支持突部３としては、このような作用を奏するものであれば如何なる形状としてもよいが、具体的には、前記可撓性脚部２の間部分に、それよりも突出量を少なく形成し、太さはやや太めに形成することによって、ゴルフシューズ着用者の体重を確実に支えるものとすることが望ましい。
【００３６】
本実施例の前記支持突部３は、その下面に複数本の突条Ｌを有し、地面又は芝生面との摩擦力を向上させている。この突条Ｌとしては、図１に示すようにスパイク鋲１０の中心と同心円方向に設ける場合と、図８に示すようにスパイク鋲３０の中心から放射状に設ける場合と、図９のスパイク鋲４０に示すように斜め方向（渦巻き状）に設ける場合と、図１０のスパイク鋲５０に示すように格子状に設ける場合などが考えられる。
【００３７】
さらに、この突条Ｌの代わりに、図６に示すスパイク鋲２０のように、複数本の溝（凹凸部）Ｒを支持突部３の下面に設けて実施してもよい。
【００３８】
そして、支持突部３に設けられるこれらの突条Ｌ又は溝（凹凸部）Ｒの本数、向き、形状は、スパイク鋲の地面に対する摩擦力に影響するため、スパイク鋲にとって必要な性能及び特徴に応じて適宜変更すればよい。
【００３９】
例えば、突条Ｌ又は溝（凹凸部）Ｒをスパイク鋲の中心と同心円方向に設ける場合には、スパイク鋲の前後・左右・斜め方向といった直線的な方向の摩擦力を高めることができ、突条Ｌ又は溝（凹凸部）Ｒをスパイク鋲の中心から放射状に設ける場合には、スパイク鋲の中心を中心とする回転方向の摩擦力を高めることができる。
【００４０】
前記鋲本体１及び支持突部３の材料としては、ポリウレタン、合成ゴム、ＡＢＳ、ポリカーボネート、ナイロンなどの合成樹脂の他、金属、セラミックス又はこれらの材料の複合材料など、如何なるものを用いてもよい。
【００４１】
前記可撓性脚部２の材料としては、ポリウレタン、合成ゴム、ＡＢＳ、ポリカーボネート、ナイロンなどの合成樹脂の他、柔軟な金属又は柔軟な金属と合成樹脂の複合材料など、使用者の体重によって撓むものであれば、如何なるものを用いてもよい。
【００４２】
尚、スパイク鋲を合成樹脂により成形した場合において、硬度の異なる合成樹脂を複合して一体成形した場合、例えば可撓性脚部２には硬度の低い材料を用いて十分な可撓性を担保しつつ、一方、支持突部３には硬度の高い材料を用いて成形して耐摩耗性を高め、樹脂製スパイク鋲全体の耐久性を向上させることが考えられる。
【００４３】
鋲本体１は、可撓性脚部２及び支持突部３を設けるための基台となり、なおかつ、ゴルフシューズの裏面（ソール）Ｓに装着するためのものであり、これらが可能であれば如何なる形状でもよいが、具体的には、ゴルフシューズの裏面Ｓに装着するための係合部４を上端面に備えた円盤状とすることが考えられる。
【００４４】
尚、ここで、ゴルフシューズに装着するための係合部４は、図２から図４に示すように、ゴルフシューズの裏面Ｓに設けた係合穴と係合してロックするための所定形状の係合突部５を備えている。前記係合部４には、その中心に金属製の補強ピン６を埋設し、この係合部４自体の強度を向上させることが望ましい。
【００４５】
本発明に係る上記の各スパイク鋲１０，２０，３０，４０，５０は、金型により全体を、即ち、鋲本体１、可撓性脚部２、支持突部３、係合部４及び係合突部５とを射出成形により一体的に成形する。しかしながら、可撓性脚部２の先端部には膨出部Ｂが形成されているため、複数本の脚部を単一の型から抜いて全体を製造することは困難であり、通常は割型を使用する。
【００４６】
上記のように構成された本実施例の合成樹脂製スパイク鋲１０，２０，３０，４０，５０は、複数本の可撓性脚部２に設けた膨出部Ｂにより、芝生面又は床面を損傷することが少なく、摩耗に対する耐久性も高い。さらには、脚部２の先端部に設けた膨出部Ｂが芝生に絡み付き、脚部２の抜け止めの作用を奏するため、芝生に対するグリップ力に優れたものとすることができる。
【００４７】
さらに、本実施例の合成樹脂製スパイク鋲１０，２０，３０，４０，５０は、複数本の可撓性脚部２を合成樹脂にて製造しているため、アスファルト面又は床面などの硬い路面上を歩行する際に、脚部２が撓んで偏向するため、地面からの衝撃を吸収して膝・腰等の負担が軽減されることから、衝撃吸収性及び安定性が高く、非常に使いやすいものとすることができる。
【００４８】
尚、上記各実施例のスパイク鋲は、ゴルフシューズの裏面Ｓとの係合部４に互いに１２０度離隔した係合突起５を備えており、鋲本体１の下面に１８０度離間して設けた２つの凹部を専用ハンドルにて操作することにより、ゴルフシューズの裏面に設けた係合穴とスパイク鋲１０との脱着を容易なものとしている。
【００４９】
次に、本発明を具体化したスパイク鋲の他の実施例（実施例２）について、図１１及び図１２に従って説明する。
本実施例のスパイク鋲６０は、図１１及び図１２に示すように、鋲本体１と、鋲本体１の裏面の周縁部から下方に向かって放射状に所定間隔にて延設された８本の可撓性脚部２とを有している。即ち、本実施例のスパイク鋲６０は、その可撓性脚部２として、互いに約４０度離間した可撓性脚部２を等間隔に配設している。
【００５０】
前記可撓性脚部２は、アスファルトの舗装路等の硬い地面上では、ゴルフシューズ着用者の体重によって若干撓む程度の強度となるような太さで、上記した鋲本体１の基台部分から下方に向かって前記実施例と同様に放射状に成形されている。
【００５１】
このように構成された可撓性脚部２は、芝生面上で使用した場合にはほとんど撓むことがなく、この脚部２の先端部分が芝生面に絡みつくように食い込んで強力なグリップ力を発揮する。
【００５２】
さらに、可撓性脚部２の先端部には、前記実施例と同様に、丸みを帯びた楕円球状の膨出部Ｂが設けられており、図１１及び図１２に示すように、当該膨出部Ｂの摩耗によっても膨出部Ｂに鋭利な部分が生じないようになっている。
【００５３】
さらに、本実施例のスパイク鋲６０には、可撓性脚部２とともに、鋲本体１の裏面中央部を肉厚として支持突部７を設けている。従って、この支持突部７により、ゴルフシューズ着用者の体重を支持させることができ、使用時においてさらに安定感が増すので有効である。この支持突部７は、可撓性脚部２がゴルフシューズ着用者の体重によって撓んだ状態で、同程度の寸法（突出量）に形成するのが好適と考えられるが、特段これに限定されるものではない。
【００５４】
この中央部の支持突部７の突出量を可撓性脚部２の湾曲後の突出量と同程度としておけば、支持突部７が地面と当接して可撓性突部２が過度に摩耗することを防ぐことができ、スパイク鋲６０の各脚部２の摩耗によるグリップ力の急激な低下を効率的に防止することが可能となる。
【００５５】
前記鋲本体１の上端部には、ゴルフシューズに装着するための雄ネジ部８が突設されており、この雄ネジ部８は、ゴルフシューズの裏面Ｓに設けた雌ネジ穴と螺合する。この雄ネジ部８としては、単に、ゴルフシューズに螺合するための雄ネジを埋設して固定したり、樹脂に螺刻面を形成したものとしてもよい。
【００５６】
本実施例の上記スパイク鋲６０は、以上の部分を合成樹脂にて一体成形することにより作成することができるものであるが、全体を金属又はセラミックスといった硬い材料にて製造してもよい。但し、この場合、脚部２の可撓性は失われることとなる。
【００５７】
本発明は、上記の実施例に限定されるものではなく、ゴルフシューズの裏面Ｓとスパイク鋲本体１を一体的に同時成形し、スパイク鋲本体１を交換できないようにしたものも、本発明の範囲に属するものである。
【００５８】
前記可撓性脚部２としては、上記のように等間隔で設ける場合の他、間隔を３０度程度から１２０度程度の間で適宜選択し、不等間隔にて配置して設けてもよい。また、支持突部３を全ての可撓性脚部２の間に設けたり、可撓性脚部２の本数又は設置間隔に応じて支持突部３の設置位置を適宜変更してもよい。
【００５９】
従って、可撓性脚部２の数としては、２，３，４，５，６，７，８等から選択でき、支持突部３の数も２，３，４，５，６，７，８等から選択できる。
【００６０】
これらの数の選択に際しては、合成樹脂又は金属といった材料の強度、各脚部の太さ及び長さなどに応じて適宜変更すればよく、これらの要素を考慮して変更することで、スパイク鋲のグリップ力、グリップ力の方向性、耐久性、装着感などを適宜変更できるものである。
【００６１】
また、スパイク鋲全体を金属又はセラミックスなどの硬い材料にて製造した場合のように、全ての脚部２に可撓性が無い場合においても、支持突部３又は支持突部７を設けて実施してもよい。
【００６２】
楕円球状の膨出部Ｂとしては、その膨出部Ｂの向きを横長から縦長に変更したり、その形状をより細長くしたり太くして実施してもよい。また、膨出部Ｂの形状を球状としてもよく、球状のものと楕円球状のものを組み合わせて実施してもよい。
【００６３】
膨出部Ｂの形状としては、（１）脚部の先端部を特に側方へ太くするものであれば芝生面に対する絡み付き作用が生じて芝生面に対するグリップ力が増大し、（２）脚部の先端部を下方へ太くするようなものであれば脚部の対摩耗性及び耐久性を向上させるものとなり、（３）丸みを帯びたものとすれば芝生面に対する損傷を極力防止できるものとなるが、具体的な形状としては、これらの特性を考慮して適宜選択すればよく、特に限定されるものではない。
【００６４】
尚、膨出部Ｂとしては、少なくとも脚部の先端部を下方又は側方の何れかの方向へ球状又は楕円球状に膨出させれば摩耗による鋭利な部分の発生を防ぐことができ、芝生に対するグリップ力を高めることができるが、脚部の下方及び側方に膨出させた膨出部Ｂによっても所定の効果を得ることができる。さらに、膨出部Ｂとしては、脚の下方、側方及び上方へも球状又は楕円球状に膨出させて実施してもよい。
【００６５】
また、膨出部Ｂの形状を丸みを帯びた形状とすれば、脚部の胴部は、ある程度多角柱状の角部を有するものとしても、芝生面を損傷することを効果的に防止でき、かかる実施形態も本発明の範囲に属するものである。
【００６６】
【発明の効果】
鋲本体から下方に延設され、鋭利な角部を有さない複数本の脚部を備えた本発明のスパイク鋲においては、その脚部に鋭利な角部が無いため、パッティンググリーンのようなデリケートな芝生面を損傷することが極めて少ないという優れた効果を奏する。
【００６７】
本発明のスパイク鋲は、複数本の脚に設けた膨出部により、特に膨出部を丸みを帯びた形状とすることで、特に芝生面又は床面を損傷することが少なく、摩耗に対する耐久性に優れるという独自の効果を奏する。即ち、本発明のスパイク鋲においては、前記膨出部Ｂが常に先に地面と接するため、脚部の胴部又は基部の摩耗を膨出部が防ぐことができる。
【００６８】
さらには、本発明のスパイク鋲は、脚の先端部に設けた膨出部が芝に絡み付いて脚部の抜け止めの作用を奏するため、芝生に対するグリップ力に優れたものとすることができる。
【００６９】
従って、本発明のスパイク鋲は、膨出部の形状を丸みを帯びたものとしておくことで、使用開始の際は勿論のこと、使用を継続してある程度膨出部に摩耗が生じても、膨出部の形状は丸みを帯びたものとなるため、芝生面又は床面を損傷することが少なく、耐久性及びグリップ力に優れたものとすることができる。
【００７０】
さらに、全体を合成樹脂にて製造すれば、アスファルト面又は床面などの硬い路面上を歩行する際には、複数本の脚部が撓んで偏向するために、地面からの衝撃を吸収して膝・腰等の負担を軽減することができるとともに、安定性が高く、非常に使いやすいものとすることができるという優れた独自の効果を奏する。
【図面の簡単な説明】
【図１】本発明の実施例１に係るゴルフシューズ用のスパイク鋲の底面図である。
【図２】図１に係るスパイク鋲の図１におけるＸ−Ｘ線の断面図である。
【図３】図１に係るスパイク鋲の図１におけるＹ−Ｙ線の断面図である。
【図４】図１に係るスパイク鋲の平面図である。
【図５】図１に係るスパイク鋲の膨出部の拡大図であり、摩耗の際の状態を仮想線にて示す拡大図である。
【図６】本発明に係るスパイク鋲の変形例の底面図である。
【図７】図６に係るスパイク鋲の膨出部の拡大図であり、摩耗の際の状態を仮想線にて示す拡大図である。
【図８】本発明に係るスパイク鋲の変形例の底面図である。
【図９】本発明に係るスパイク鋲の変形例の底面図である。
【図１０】本発明に係るスパイク鋲の変形例の底面図である。
【図１１】本発明の実施例２に係るゴルフシューズ用のスパイク鋲の底面図である。
【図１２】図１１に係るスパイク鋲の断面図である。
【符号の説明】
１  鋲本体
２  可撓性脚部
３  支持突部
４  係合部
５  係合突部
６  補強ピン
７  支持突部
８  雄ネジ部
１０，２０，３０，４０，５０，６０  スパイク鋲
Ｂ  膨出部
Ｌ  突条
Ｒ  溝
Ｓ  シューズの裏面
【図１】
0004773638.tif 000002
【図２】
0004773638.tif 000003
【図３】
0004773638.tif 000004
【図４】
0004773638.tif 000005
【図５】
0004773638.tif 000006
【図６】
0004773638.tif 000007
【図７】
0004773638.tif 000008
【図８】
0004773638.tif 000009
【図９】
0004773638.tif 000010
【図１０】
0004773638.tif 000011
【図１１】
0004773638.tif 000012
【図１２】
0004773638.tif 000013